(57)【要約】【課題】ピン状を有する外部接続端子を、高い精度で位置決めされた状態でバスバーに接続できるコンデンサを提供する。【解決手段】フィルムコンデンサは、外部端子に接続可能な、ピン状を有する第１外部接続端子５１１および第２外部接続端子５２１と、これら外部接続端子５１１、５２１を第１バスバー２００および第２バスバー３００に接続するための第１端子接続部５１４および第２端子接続部５２４と、これら外部接続端子５１１、５２１および端子接続部５１４、５２４を保持する端子ホルダ５３０と、端子ホルダ５３０に設けられ、端子ホルダ５３０をコンデンサ素子ユニットに対して位置決めするためのスナップ片５４２、５４３、５４４、差込溝部５４５および突起５４６と、を備える。【選択図】図３
2020009986.tif 000002
【特許請求の範囲】
【請求項１】
コンデンサ素子と、当該コンデンサ素子の電極に接続されるバスバーと、を含むコンデンサ素子ユニットと、
前記コンデンサ素子ユニットが収容されるケースと、
外部端子に接続可能な、ピン状を有する外部接続端子と、
前記外部接続端子を前記バスバーに接続するための端子接続部と、
前記外部接続端子および前記端子接続部を保持する端子保持部材と、
前記端子保持部材に設けられ、前記端子保持部材を前記コンデンサ素子ユニットに対して位置決めするための位置決め部と、
を備えることを特徴とするコンデンサ。
【請求項２】
請求項１に記載のコンデンサにおいて、
前記ケース内に充填される充填樹脂を、さらに備え、
前記端子保持部材の一部が前記充填樹脂中に埋没する、
ことを特徴とするコンデンサ。
【請求項３】
請求項１または２に記載のコンデンサにおいて、
前記外部接続端子および前記端子接続部は、インサート成形によって前記端子保持部材に保持される、
ことを特徴とするコンデンサ。
【請求項４】
請求項１ないし３の何れか一項に記載のコンデンサにおいて、
前記端子保持部材に取り外し可能に装着され、前記外部接続端子を保護する保護部材を、さらに備える、
ことを特徴とするコンデンサ。
【請求項５】
請求項４に記載のコンデンサにおいて、
前記外部接続端子の先端部は、当該先端部が向く方向において前記ケースの外側にはみ出し、
前記保護部材は、前記先端部が収まるカバー部を含み、前記先端部が向く方向に移動されることにより、前記端子保持部材から取り外しが可能である、
ことを特徴とするコンデンサ。
【請求項６】
請求項５に記載のコンデンサにおいて、
前記端子保持部材には、前記外部接続端子の左右両側に差込口部が設けられ、
前記保護部材には、前記先端部が向く方向から各前記差込口部に差し込まれる差込部が設けられる、
ことを特徴とするコンデンサ。
【請求項７】
請求項６に記載のコンデンサにおいて、
前記差込部および前記差込口部には、それぞれ、前記差込部が前記差込口部に差し込まれた状態において前記差込部が抜かれる方向に係合する係合部および被係合部が設けられる、
ことを特徴とするコンデンサ。
【請求項８】
請求項６または７に記載のコンデンサにおいて、
前記差込口部は、前記差込部の差込方向に凹み前記差込部の先端部が嵌め込まれる凹部を含み、
前記凹部には、前記差込方向と直交する方向から前記差込部の先端部の両側に接触する突部が設けられる、
ことを特徴とするコンデンサ。
【発明の詳細な説明】
【技術分野】
【０００１】
本発明は、コンデンサに関する。
【背景技術】
【０００２】
従来、バスバーの一端が接続されたコンデンサ素子をケース内に収納し、バスバーの他端に設けられた外部接続用の端子をケースの開口から外部へ引き出すようにしたコンデンサが知られている（たとえば、特許文献１参照）。外部接続用の端子には、外部装置に用意された外部端子が接続される。
【先行技術文献】
【特許文献】
【０００３】
【特許文献１】特開２００９−２５２９３５号公報
【発明の概要】
【発明が解決しようとする課題】
【０００４】
上記のようなコンデンサにおいて、外部端子の形状等に適応させるために、ピン状を有する端子が、バスバーの外部接続用の端子として用いられる場合が想定される。たとえば、外部装置等では、コンデンサ素子の電圧が監視される。この場合、コンデンサ素子からの電圧信号の出力端子として、ピン状の端子が用いられ得る。
【０００５】
しかしながら、このようなピン状の端子を板状であるバスバーに一体形成することは容易ではない。このため、ピン状の端子を別部材として準備し、バスバーへ接続する必要があるが、この際、外部装置等の外部端子と円滑に接続されるために、ピン状の端子は、コンデンサ内において高い精度で位置決めされることが望ましい。
【０００６】
そこで、本発明は、ピン状を有する外部接続端子を、高い精度で位置決めされた状態でバスバーに接続できるコンデンサを提供することを目的とする。
【課題を解決するための手段】
【０００７】
本発明の主たる態様に係るコンデンサは、コンデンサ素子と、当該コンデンサ素子の電極に接続されるバスバーと、を含むコンデンサ素子ユニットと、前記コンデンサ素子ユニットが収容されるケースと、外部端子に接続可能な、ピン状を有する外部接続端子と、前記外部接続端子を前記バスバーに接続するための端子接続部と、前記外部接続端子および前記端子接続部を保持する端子保持部材と、前記端子保持部材に設けられ、前記端子保持部材を前記コンデンサ素子ユニットに対して位置決めするための位置決め部と、を備える。
【発明の効果】
【０００８】
本発明によれば、ピン状を有する外部接続端子を、高い精度で位置決めされた状態でバスバーに接続できる。
【０００９】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態に記載されたものに何ら制限されるものではない。
【図面の簡単な説明】
【００１０】
【図１】図１（ａ）は、実施の形態に係る、フィルムコンデンサの斜視図であり、図１（ｂ）は、実施の形態に係る、端子ユニットが装着されたコンデンサ素子ユニットの斜視図である。
【図２】図２（ａ）は、実施の形態に係る、前方から見たコンデンサ素子ユニットの斜視図であり、図２（ｂ）は、実施の形態に係る、後方から見たコンデンサ素子ユニットの斜視図である。
【図３】図３（ａ）は、実施の形態に係る、前方上方から見た端子ユニットの斜視図であり、図３（ｂ）は、実施の形態に係る、前方下方から見た端子ユニットの斜視図である。
【図４】図４は、実施の形態に係る、端子ユニットの平面図である。
【図５】図５（ａ）は、実施の形態に係る、前方上方から見た保護カバーの斜視図であり、図５（ｂ）は、実施の形態に係る、前方下方から見た保護カバーの斜視図である。
【図６】図６（ａ）は、実施の形態に係る、端子ホルダに保護カバーが装着された端子ユニットの斜視図であり、図６（ｂ）は、図６（ａ）のＡ−Ａ´断面図である。
【図７】図７は、実施の形態に係る、端子ユニットが装着された状態のコンデンサ素子および絶縁板が省略されたコンデンサ素子ユニットの右端部の拡大底面図である。
【図８】図８（ａ）は、実施の形態に係る、前方から見たケースの斜視図であり、図８（ｂ）は、実施の形態に係る、後方から見たケースの斜視図である。
【図９】図９（ａ）は、図８（ａ）のＢ−Ｂ´断面図であり、図９（ｂ）は、図８（ｂ）のＣ−Ｃ´断面図である。
【発明を実施するための形態】
【００１１】
以下、本発明のコンデンサの一実施形態であるフィルムコンデンサ１について図を参照して説明する。便宜上、各図には、適宜、前後、左右および上下の方向が付記されている。なお、図示の方向は、あくまでフィルムコンデンサ１の相対的な方向を示すものであり、絶対的な方向を示すものではない。
【００１２】
本実施の形態において、フィルムコンデンサ１が、特許請求の範囲に記載の「コンデンサ」に対応する。また、第１端面電極１１０および第２端面電極１２０が、特許請求の範囲に記載の「電極」に対応する。さらに、第１バスバー２００および第２バスバー３００が、特許請求の範囲に記載の「バスバー」に対応する。さらに、第１外部接続端子５１１および第２外部接続端子５２１が、特許請求の範囲に記載の「外部接続端子」に対応する。さらに、第１端子接続部５１４および第２端子接続部５２４が、特許請求の範囲に記載の「端子接続部」に対応する。さらに、端子ホルダ５３０が、特許請求の範囲に記載の「端子保持部材」に対応する。さらに、載置リブ５３５が、特許請求の範囲に記載の「被係合部」に対応する。さらに、突条５３９ｂが、特許請求の範囲に記載の「突部」に対応する。さらに、嵌合凹部５４０が、特許請求の範囲に記載の「凹部」に対応する。さらに、スナップ片５４２、５４３、５４４、差込溝部５４５および突起５４６が、特許請求の範囲に記載の「位置決め部」に対応する。さらに、保護カバー６００が、特許請求の範囲に記載の「保護部材」に対応する。さらに、爪部６２３が、特許請求の範囲に記載の「係合部」に対応する。
【００１３】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００１４】
図１（ａ）は、フィルムコンデンサ１の斜視図であり、図１（ｂ）は、端子ユニット５００が装着されたコンデンサ素子ユニットＵの斜視図である。
【００１５】
フィルムコンデンサ１は、４個のコンデンサ素子１００と、第１バスバー２００と、第２バスバー３００と、絶縁板４００と、端子ユニット５００と、保護カバー６００と、ケース７００と、充填樹脂８００と、を備える。４個のコンデンサ素子１００と、第１バスバー２００と、第２バスバー３００と、絶縁板４００とにより、コンデンサ素子ユニットＵが構成される。
【００１６】
図２（ａ）は、前方から見たコンデンサ素子ユニットＵの斜視図であり、図２（ｂ）は、後方から見たコンデンサ素子ユニットＵの斜視図である。
【００１７】
コンデンサ素子１００は、誘電体フィルム上にアルミニウムを蒸着させた２枚の金属化フィルムを重ね、重ねた金属化フィルムを巻回または積層し、扁平状に押圧することにより形成される。コンデンサ素子１００には、一方の端面に、亜鉛等の金属の吹付けにより第１端面電極１１０が形成され、他方の端面に、同じく亜鉛等の金属の吹付けにより第２端面電極１２０が形成される。４個のコンデンサ素子１００は、両端面が前後方向を向く状態で左右方向に配列される。
【００１８】
第１バスバー２００は、導電性材料、たとえば、銅板を適宜切り抜き、折り曲げることによって形成され、第１本体部２１０と、第１中継端子部２２０と、第１接続端子群２３０と、第１接続端子２４０とが一体となった構成を有する。
【００１９】
第１本体部２１０は、４個のコンデンサ素子１００の周面の大部分および第１端面電極１１０の一部をそれぞれ覆う上面部２１０ａおよび前面部２１０ｂにより構成される。前面部２１０ｂの下端における各第１端面電極１１０に対応する位置に一対の第１電極端子２１１が形成される。第１電極端子２１１は、第１端面電極１１０に半田付け等の接合方法で接合される。これにより、第１バスバー２００が第１端面電極１１０に電気的に接続される。また、前面部２１０ｂの下端には、左端と右端の２つの第１電極端子２１１の間に位置決め片２１２が形成される。位置決め片２１２は、ケース７００に対するコンデンサ素子ユニットＵの位置決めに用いられる。さらに、前面部２１０ｂには、ケース７００に対するコンデンサ素子ユニットＵの位置決めに用いられる２つの角状の係合孔２１３と、コンデンサ素子ユニットＵに対する端子ユニット５００の位置決めに用いられる１つの角状の係合孔２１４とが形成される。
【００２０】
第１本体部２１０の上面部２１０ａには、右端に、鉤状の第１接続ピン２１５が形成される。また、上面部２１０ａには、５つの長円形の流通孔２１６ａと、流通孔２１６ａより短い１つの流通孔２１６ｂと、１つの四角形の流通孔２１６ｃとが形成される。さらに、上面部２１０ａには、３つの大嵌合孔２１７ａと１つの小嵌合孔２１７ｂが形成される。流通孔２１６ｂに隣接する大嵌合孔２１７ａは、一部が流通孔２１６ｂと重なる。
【００２１】
第１中継端子部２２０は、第１本体部２１０の後端部から上方に立ち上がる。第１中継端子部２２０は、右側部分が左側部分よりも上方に延び、右側部分の上端部に第１接続端子群２３０が設けられ、左側部分の上端部に第１接続端子２４０が設けられる。第１中継端子部２２０には、２つの円形の嵌合孔２２１が形成される。また、第１中継端子部２２０には、第１接続端子群２３０の直下の位置に、左右方向に並ぶように９個の長方形の孔２２２が形成される。
【００２２】
第１接続端子群２３０は、左右方向に並ぶ９個の端子２３１により構成される。第１接続端子２４０は、円形の取付孔２４１を有する。
【００２３】
第２バスバー３００は、導電性材料、たとえば、銅板を適宜切り抜き、折り曲げることによって形成され、第２本体部３１０と、第２中継端子部３２０と、第２接続端子群３３０と、第２接続端子３４０とが一体となった構成を有する。
【００２４】
第２本体部３１０は、４個のコンデンサ素子１００の周面の一部および第２端面電極１２０の一部をそれぞれ覆う上面部３１０ａおよび後面部３１０ｂにより構成される。後面部３１０ｂの下端における各第２端面電極１２０に対応する位置に一対の第２電極端子３１１が形成される。第２電極端子３１１は、第２端面電極１２０に半田付け等の接合方法で接合される。これにより、第２バスバー３００が第２端面電極１２０に電気的に接続される。また、後面部３１０ｂの下端には、左端と右端の２つの第２電極端子３１１の間に位置決め片３１２が形成される。位置決め片３１２は、ケース７００に対するコンデンサ素子ユニットＵの位置決めに用いられる。
【００２５】
第２本体部３１０には、さらに、上面部３２０ａから後面部３２０ｂに亘る２つの長方形の係合孔３１３が形成される。係合孔３１３は、ケース７００に対するコンデンサ素子ユニットＵの位置決めに用いられる。また、上面部３２０ａの中央には、長方形の流通孔３１４が形成される。
【００２６】
第２本体部３１０は、後面部３１０ｂの右上端部から前方に延びだす延出部３１０ｃを有する。延出部３１０ｃの先端には、鉤状の第２接続ピン３１５が形成される。また、延出部３１０ｃには、円形の嵌合孔３１６が形成される。
【００２７】
第２中継端子部３２０は、第２本体部３１０の前端部から上方に立ち上がる。第２中継端子部３２０は、右側部分が左側部分よりも上方に延び、右側部分の上端部に第２接続端子群３３０が設けられ、左側部分の上端部に第２接続端子３４０が設けられる。第２中継端子部３２０には、２つの円形の嵌合孔３２１が形成される。
【００２８】
第２接続端子群３３０は、左右方向に並ぶ９個の端子３３１により構成される。第２接続端子群３３０は、第１接続端子群２３０より低い位置に設けられ、その前方に第１中継端子部２２０の９つの孔２２２が位置する。第２接続端子３４０は、第１接続端子２４０の右隣りに並ぶ。第２接続端子３４０は、円形の取付孔３４１を有する。
【００２９】
絶縁板４００は、ポリフェニレンサルファイド（ＰＰＳ）等の樹脂により形成され、絶縁性を有する。絶縁板４００は、第１バスバー２００の第１中継端子部２２０と第２バスバー３００の第２中継端子部３２０との間に介在される第１絶縁部４１０と、第１絶縁部４１０の下端部に設けられ、前後方向に延びる第２絶縁部４２０とを含む。第１絶縁部４１０の前面には、第１中継端子部２２０の嵌合孔２２１に嵌合される円柱状の突起４１１が形成される。突起４１１の前端には、丸棒状の位置決めピン４１２が突起４１１と一体に形成される。位置決めピン４１２は、フィルムコンデンサ１を外部装置に搭載する際に、外部装置に対するフィルムコンデンサ１の位置決めに用いられる。第１絶縁部４１０の後面には、第２中継端子部３２０の嵌合孔３２１に嵌合される円柱状の突起４１３が形成される。
【００３０】
第１バスバー２００の第１中継端子部２２０と第２バスバー３００の第２中継端子部３２０とが第１絶縁部４１０を挟んで前後に重なり合うことで、第１バスバー２００と第２バスバー３００とが有するＥＳＬ（等価直列インダクタンス）を低減させることができる。
【００３１】
絶縁板４００には、左端部に位置決め突部４３１が設けられ、右端部に位置決め突部４３２と差込片４３３とが設けられる。位置決め突部４３１、４３２は、ケース７００に対するコンデンサ素子ユニットＵの位置決めに用いられ、差込片４３３は、コンデンサ素子ユニットＵに対する端子ユニット５００の位置決めに用いられる。
【００３２】
図３（ａ）は、前方上方から見た端子ユニット５００の斜視図であり、図３（ｂ）は、前方下方から見た端子ユニット５００の斜視図である。図４は、端子ユニット５００の平面図である。
【００３３】
端子ユニット５００は、第１信号出力部材５１０と、第２信号出力部材５２０と、端子ホルダ５３０とを含む。第１信号出力部材５１０および第２信号出力部材５２０は、銅等の導電性材料により形成され、インサート成形によって端子ホルダ５３０と一体化されることにより、端子ホルダ５３０に保持される。
【００３４】
第１信号出力部材５１０は、第１外部接続端子５１１と、第１接続部５１２と、第１導線部５１３とを含む。第１接続部５１２および第１導線部５１３は、第１外部接続端子５１１を第１バスバー２００に接続するために第１外部接続端子５１１と一体に形成された第１端子接続部５１４を構成する。第２信号出力部材５２０は、第２外部接続端子５２１と、第２接続部５２２と、第２導線部５２３とを含む。第２接続部５２２および第２導線部５２３は、第２外部接続端子５２１を第２バスバー３００に接続するために第２外部接続端子５２１と一体に形成された第２端子接続部５２４を構成する。
【００３５】
第１外部接続端子５１１および第２外部接続端子５２１は、細長いピン状を有し、途中部分が上方にやや湾曲する。第１接続部５１２および第２接続部５２２は、円形状を有し、その中央に接続孔５１２ａ、５２２ａが形成される。第１導線部５１３および第２導線部５２３は、細長い板状を有し、第１外部接続端子５１１および第２外部接続端子５２１と第１接続部５１２および第２接続部５２２との間を繋ぐ。第１導線部５１３および第２導線部５２３における第１接続部５１２および第２接続部５２２に接続される端部５１３ａ、５２３ａは、他の部分よりも細くされている。
【００３６】
端子ホルダ５３０は、ポリフェニレンサルファイド（ＰＰＳ）等の樹脂により形成される。端子ホルダ５３０は、第１外部接続端子５１１および第２外部接続端子５２１の基端部分と第１導線部５１３および第２導線部５２３とが埋め込まれる装着部５３１を有する。装着部５３１は、上方に起立する端子板部５３２を含み、端子板部５３２の前面から第１外部接続端子５１１および第２外部接続端子５２１が左右方向に並んだ状態で前方へ突出する。また、端子ホルダ５３０は、右端部にほぼ長方形に切り欠かれた切欠開口５３３を有し、切欠開口５３３内に第１接続部５１２および第２接続部５２２が露出する。第１接続部５１２から延び出した線材部５１２ｂが端子ホルダ５３０における切欠開口５３３の前側の縁部に埋め込まれ、第２接続部５２２から延び出した線材部５２２ｂが端子ホルダ５３０における切欠開口５３３の後側の縁部に埋め込まれる。これにより、切欠開口５３３内において、第１接続部５１２と第２接続部５２２が、第１導線部５１３および第２導線部５２３の端部５１３ａ、５２３ａと線材部５１２ｂ、５２２ｂとで強固に支持された状態となる。
【００３７】
端子ホルダ５３０には、端子板部５３２から延び出す第１外部接続端子５１１および第２外部接続端子５２１の左右両側に、保護カバー６００の差込部６２０が差し込まれる差込口部５３４が設けられる。差込口部５３４は、その前側に、差込部６２０が載せられる載置リブ５３５と、差込部６２０を側方から押さえる押さえリブ５３６と、差込部６２０を上方から押さえる押さえ板５３７とを有する。載置リブ５３５および押さえリブ５３６は、差込口部５３４への入口が拡がる方向に傾斜する傾斜面５３５ａ、５３６ａを有する。また、差込口部５３４は、その後側に、差込部６２０が載せられる左右２つの載置リブ５３８と、載置リブ５３８を囲むように設けられるコ字状の嵌合リブ５３９とを有する。載置リブ５３８および嵌合リブ５３９により、差込部６２０の先端部が嵌め込まれる嵌合凹部５４０が形成される。載置リブ５３８および嵌合リブ５３９は、嵌合凹部５４０への入口が拡がる方向に傾斜する傾斜面５３８ａ、５３９ａを有する。また、嵌合リブ５３９（嵌合凹部５４０）の左右の内壁面には、上下方向に延び、内側へ僅かに突出する突条５３９ｂが形成される。
【００３８】
端子ホルダ５３０には、各差込口部５３４の前方に嵌合凹部５４１が形成される。また、端子ホルダ５３０には、左後部、右前部および右後部にそれぞれ、スナップ片５４２、５４３、５４４が下方に突出するように設けられる。左後部のスナップ片５４２は、先端の爪部５４２ａが右側を向き、右前部のスナップ片５４３は、先端の爪部５４３ａが後側を向き、右後部のスナップ片５４４は、先端の爪部５４４ａが左側を向く。さらに、端子ホルダ５３０の右後部には、スリット状の差込溝部５４５が設けられる。差込溝部５４５の左右の壁面には、上下方向に延び、内側へ僅かに突出する突条５４５ａが形成される。さらに、端子ホルダ５３０の下面には、７つの円柱状の突起５４６が形成される。さらに、端子ホルダ５３０には、複数の箇所に、適宜の大きさおよび形状を有する開口部５４７が設けられる。
【００３９】
第１信号出力部材５１０および第２信号出力部材５２０は、第１外部接続端子５１１および第２外部接続端子５２１が端子ホルダ５３０よりも前方に延び、前方へ延び出した部分が、保護カバー６００により覆われる。
【００４０】
図５（ａ）は、前方上方から見た保護カバー６００の斜視図であり、図５（ｂ）は、前方下方から見た保護カバー６００の斜視図である。
【００４１】
保護カバー６００は、ポリフェニレンサルファイド（ＰＰＳ）等の樹脂により形成され、カバー部６１０と、カバー部６１０の左右両側に設けられた差込部６２０とを備える。カバー部６１０は、底壁６１１と、底壁６１１の左右両端から立ち上がる左壁６１２および右壁６１３と、底壁６１１の前端から立ち上がる、左壁６１２および右壁６１３の半分程度の高さの前壁６１４とを含み、上面、後面および前面の上側が開口する直方体の箱状を有する。底壁６１１には、前後方向に延び前壁６１４に連結されるリブ６１５が形成される。
【００４２】
差込部６２０は、細長い長方形の板状を有し、カバー部６１０よりも後側の部分が端子ホルダ５３０の差込口部５３４に差し込まれる部分となる。差込部６２０には、ほぼ中間部にスリット６２１が形成られ、スリット６２１より外側の部分が、上下に撓みやすいように厚みが薄くされた薄肉部６２２とされる。薄肉部６２２の裏側に爪部６２３が設けられる。爪部６２３には、前側と後側にそれぞれ、中央に向かって傾斜する傾斜面６２３ａ、６２３ｂが形成される。
【００４３】
図６（ａ）は、端子ホルダ５３０に保護カバー６００が装着された端子ユニット５００の斜視図であり、図６（ｂ）は、図６（ａ）のＡ−Ａ´断面図である。
【００４４】
保護カバー６００は、前方から端子ホルダ５３０に装着される。この際、保護カバー６００の差込部６２０が前方から端子ホルダ５３０の差込口部５３４内に差し込まれる。差込部６２０は、載置リブ５３５と押さえ板５３７との間を通り、最終的に、その先端部が嵌合凹部５４０内に達する。差込口部５３４への入口は傾斜面５３５ａ、５３６ａにより拡げられており、嵌合凹部５４０への入口も傾斜面５３８ａ、５３９ａにより拡げられている。これにより、差込部６２０が差込口部５３４および嵌合凹部５４０に挿入されやすくなる。
【００４５】
差込部６２０が差込口部５３４内に最後まで差し込まれると、嵌合凹部５４０内では、左右の突条５３９ｂが差込部６２０の先端部の両側面に当接する。これにより、保護カバー６００が左右方向にガタツキにくくなる。また、差込部６２０の爪部６２３が、載置リブ５３５の後側の角部と係合する。なお、爪部６２３は、差込部６２０が差込口部５３４に差し込まれたとき、薄肉部６２２が上方に撓むことで載置リブ５３５を乗り越えることができる。爪部６２３と載置リブ５３５との係合により、保護カバー６００が端子ホルダ５３０に対して前方へ抜けにくくなる。爪部６２３と載置リブ５３５とが係合する力は比較的弱いため、前方へ引き出す力が保護カバー６００に加えられると、爪部６２３が載置リブ５３５を容易に乗り越えて係合が外れ、差込部６２０が差込口部５３４から前方へ引き出される。
【００４６】
保護カバー６００が端子ホルダ５３０に装着されると、第１外部接続端子５１１および第２外部接続端子５２１の端子ホルダ５３０よりも前方に延び出した先端部が、保護カバー６００のカバー部６１０の内部に収まる。
【００４７】
図７は、端子ユニット５００が装着された状態のコンデンサ素子１００および絶縁板４００が省略されたコンデンサ素子ユニットＵの右端部の拡大底面図である。
【００４８】
図１（ｂ）に示すように、保護カバー６００が装着された端子ユニット５００が、上方からコンデンサ素子ユニットＵの右端部の領域上に装着される。
【００４９】
図７に示すように、第１バスバー２００の４つの大嵌合孔２１７ａと小嵌合孔２１７ｂに、それらに対応する位置にある端子ホルダ５３０の４つの突起５４６が嵌合する。同様に、第２バスバー３００の嵌合孔３１６に、それに対応する位置にある端子ホルダ５３０の突起５４６が嵌合する。第１バスバー２００の開口部２１６aの右側の縁部に左側から端子ホルダ５３０のスナップ片５４２の爪部５４２ａが係合し、第１バスバー２００の係合孔２１４に前側から端子ホルダ５３０のスナップ片５４３の爪部５４３ａが係合し、第２バスバー３００の右端縁に右側から端子ホルダ５３０のスナップ片５４４の爪部５４４ａが係合する。さらに、図１（ｂ）に示すように、絶縁板４００の差込片４３３が差込溝部５４５に差し込まれる。こうして、端子ホルダ５３０、即ち端子ユニット５００がコンデンサ素子ユニットＵに対して前後、左右および上下方向に位置決めされて固定される。
【００５０】
図７に示すように、第１バスバー２００の第１接続ピン２１５が第１信号出力部材５１０の第１接続部５１２の接続孔５１２ａに嵌め込まれ、第１接続ピン２１５と第１接続部５１２とが半田付けにより結合される。同様に、第２バスバー３００の第２接続ピン３１５が第２信号出力部材５２０の第２接続部５２２の接続孔５２２ａに嵌め込まれ、第２接続ピン３１５と第２接続部５２２とが半田付けにより結合される。
【００５１】
図８（ａ）は、前方から見たケース７００の斜視図であり、図８（ｂ）は、後方から見たケース７００の斜視図である。図９（ａ）は、図８（ａ）のＢ−Ｂ´断面図であり、図９（ｂ）は、図８（ｂ）のＣ−Ｃ´断面図である。
【００５２】
ケース７００は、樹脂製であり、たとえば、熱可塑性樹脂であるポリフェニレンサルファイド（ＰＰＳ）により形成される。ケース７００は、ほぼ直方体の箱状に形成され、底壁７０１と、底壁７０１から立ち上がる前側壁７０２、後側壁７０３、左側壁７０４および右側壁７０５とを有し、上面が開口する。底壁７０１は、左側壁７０４および右側壁７０５に繋がる両側の端部７０１ａが曲面形状を有する。また、底壁７０１の中央部が凹むことにより、ケース７００の内部中央に仕切部７０６が形成される。仕切部７０６の裏側の凹みには、ケース７００の補強のため、上側と下側にリブ７０６ａが架け渡されている。ケース７００は、収容される４つのコンデンサ素子１００が並ぶ左右方向が長手方向となり、４つのコンデンサ素子１００の両端面が向く前後方向が短手方向となる。
【００５３】
前側壁７０２および右側壁７０５は、その開口端部に、外側に膨らむ膨出部７０２ａ、７０５ａを有する。ケース７００は、これら膨出部７０２ａ、７０５ａが設けられた分、開口７００ａが前後左右方向に拡がる。また、前側壁７０２には、膨出部７０２ａの右端寄りの一部分がさらに膨出することにより、端子ホルダ５３０の一部が収容される収容部７０７が形成される。収容部７０７には、底壁に２つの嵌合リブ７０８が形成される。
【００５４】
前側壁７０２の外面には、膨出部７０２ａ以外の領域７０２ｂに、外面に沿って上下方向に延びる複数の補強リブ７０９が、左右方向に所定の間隔を置いて設けられる。各補強リブ７０９は、上端が膨出部７０２ａに繋がり、下端が底壁７０１の外面と面一となる。また、各補強リブ７０９は、膨出部７０２ａの外面よりも外側（前方）に張り出さない。前側壁７０２には、上下方向における中央部に、段状に屈曲する屈曲部７１０が形成される。屈曲部７１０は、前側壁７０２の左右方向全体に亘って設けられ、複数の補強リブ７０９と交差する。
【００５５】
後側壁７０３の外面には、外面に沿って上下方向に延びる複数の補強リブ７１１が、左右方向に所定の間隔を置いて設けられる。後側壁７０３の上端部には、ケース７００の開口面よりも上方に突出するリブ７１２が左右方向に延びるように形成されており、このリブ７１２に、後側壁７０３の上端部まで延びた各補強リブ７１１の上端が繋がる。また、各補強リブ７１１の下端は、底壁７０１の外面と面一となる。後側壁７０３には、上下方向における中央部に、段状に屈曲する屈曲部７１３が形成される。屈曲部７１３は、後側壁７０３の左右方向全体に亘って設けられ、複数の補強リブ７１１と交差する。
【００５６】
左側壁７０４および右側壁７０５の外面には、取付タブ７１４が設けられる。各取付タブ７１４には、挿通孔７１４ａが形成される。挿通孔７１４ａには、孔の強度を上げるために金属製のカラー７１４ｂが嵌め込まれる。また、底壁７０１の外面の中央部にも、取付タブ７１４と同様な構成の取付タブ７１５が設けられる。フィルムコンデンサ１が外部装置の設置部に設置される際、これら取付タブ７１４、７１５がネジ等によって設置部に固定される。
【００５７】
ケース７００の内部において、前側壁７０２の内面には、左右に、支柱７１６と係合リブ７１７とが設けられる。支柱７１６は、上下方向に延びる３本のリブにより構成される。支柱７１６の上端部には、中央のリブを両側のリブより低くすることにより、第１バスバー２００の位置決め片２１２に対応する凹部７１６ａが形成される。係合リブ７１７には、内側に突出する爪部７１７ａが形成される。後側壁７０３の内面にも、左右に支柱７１８と係合リブ７１９とが設けられる。支柱７１８の上端部には、第２バスバー３００の位置決め片３１２に対応する凹部７１８ａが形成され、係合リブ７１９には、爪部７１９ａが形成される。
【００５８】
左側壁７０４の内面には、後側に、支柱７２０が設けられる。支柱７２０は、底壁７０１の端部７０１ａから開口２００ａ側へ延びる。支柱７２０の上端部には、絶縁板４００の位置決め突部４３１に対応する形状に凹む凹部７２０ａが形成される。右側壁７０５の内面にも、後側に、支柱７２１が設けられる。支柱７２１は、膨出部７０５ａが形成されることで生じる段差部７０５ｂから開口２００ａ側へ延びる。支柱７２１の上端部には、絶縁板４００の位置決め突部４３２に対応する形状に凹む凹部７２１ａが形成される。
【００５９】
左側壁７０４および右側壁７０５の内面には、上下方向に延びる複数の細く低いリブからなるリブ群７２２が形成される。リブ群７２２は、ケース７００内に充填された充填樹脂８００と左側壁７０４および右側壁７０５の内面との間の接触面積を増加させ、密着力を増加させる。これにより、線膨張係数の違いに起因して発生し得る左側壁７０４および右側壁７０５の内面からの充填樹脂８００の剥離を抑制できる。
【００６０】
端子ユニット５００が装着されたコンデンサ素子ユニットＵがケース７００内に収容される。コンデンサ素子ユニットＵがケース７００内に収容されると、第１バスバー２００の位置決め片２１２がケース７００の前側壁７０２の凹部７１６ａに嵌め込まれ、第２バスバー３００の位置決め片３１２がケース７００の後側壁７０３の凹部７１８ａに嵌め込まれる。また、第１バスバー２００の係合孔２１３に前側壁７０２の係合リブ７１７の爪部７１７ａが係合し、第２バスバー３００の係合孔３１３に後側壁７０３の係合リブ７１９の爪部７１９ａが係合する。さらに、絶縁板４００の左右の位置決め突部４３１、４３２がケース７００の左側壁７０４および右側壁７０５の凹部７２０ａ、７２１ａに嵌め込まれる。これにより、コンデンサ素子ユニットＵがケース７００に対して前後、左右および上下方向に位置決めされて固定される。さらに、ケース７００の収容部７０７では、嵌合リブ７０８が端子ホルダ５３０の嵌合凹部５４１に嵌め込まれる。
【００６１】
コンデンサ素子ユニットＵが収容されたケース７００内に充填樹脂８００が充填される。充填樹脂８００は、熱硬化性樹脂、たとえば、エポキシ樹脂であり、溶融状態でケース７００内に注入される。この際、端子ホルダ５３０に設けられた複数の開口部５４７が、ケース７００の開口７００ａ側とコンデンサ素子１００側との間で貫通しているので、注入された溶融状態の充填樹脂８００が開口部５４７を通過する。また、溶融状態の充填樹脂８００が第１バスバー２００に設けられた流通孔２１６ａ、２１６ｂ、２１６ｃおよび第２バスバー３００に設けられた流通孔３１４を通過する。これにより、ケース７００内に円滑に充填樹脂８００が充填される。その後、ケース７００内が加熱されると、ケース７００内の充填樹脂８００が硬化する。コンデンサ素子ユニットＵの充填樹脂８００に埋没した部分が、ケース７００および充填樹脂８００によって湿気や衝撃から保護される。
【００６２】
図１（ａ）に示すように、端子ユニット５００では、第１信号出力部材５１０の第１外部接続端子５１１、第２信号出力部材５２０の第２外部接続端子５２１、並びに端子ホルダ５３０の端子板部５３２および差込口部５３４は外部に露出するが、それらを除く大部分が、ケース７００内の充填樹脂８００に埋め込まれる。これにより、端子ユニット５００がケース７００内にしっかりと固定される。また、第１バスバー２００および第２バスバー３００に接続される第１接続部５１２および第２接続部５２２は充填樹脂８００中に埋没するため、接続部分が充填樹脂８００で保護される。
【００６３】
第１外部接続端子５１１および第２外部接続端子５２１の先端部と、これら先端部が収まる保護カバー６００のカバー部６１０が、ケース７００の外側（前方）にはみ出した状態となる。第１外部接続端子５１１および第２外部接続端子５２１の先端部は、保護カバー６００によって、障害物の衝突等に対して保護される。
【００６４】
こうして、フィルムコンデンサ１が完成する。
【００６５】
フィルムコンデンサ１が外部装置に搭載されると、第１バスバー２００の第１接続端子群２３０および第１接続端子２４０が、それらに対応する外部装置の外部端子に接続され、第２バスバー３００の第２接続端子群３３０および第２接続端子３４０が、それらに対応する外部装置の外部端子に接続される。また、第１信号出力部材５１０の第１外部接続端子５１１および第２信号出力部材５２０の第２外部接続端子５２１には、それらに対応する外部装置の電圧信号入力用の外部端子が接続される。フィルムコンデンサ１の通電時、コンデンサ素子１００の電圧が電圧信号として、信号出力端子である第１外部接続端子５１１および第２外部接続端子５２１から外部装置に出力される。これにより、外部装置では、コンデンサ素子１００の電圧異常を検出することが可能となる。
【００６６】
保護カバー６００は、フィルムコンデンサ１が外部装置の設置部に設置された後、電圧信号入力用の外部端子が第１外部接続端子５１１および第２外部接続端子５２１へ接続される前に、機械による自動作業または作用員による手作業によって、前方へ引き出され、端子ユニット５００から取り外される。
【００６７】
＜実施の形態の効果＞
以上、本実施の形態によれば、以下の効果が奏される。
【００６８】
フィルムコンデンサ１は、外部端子に接続可能な、ピン状を有する第１外部接続端子５１１および第２外部接続端子５２１と、これら外部接続端子５１１、５２１を第１バスバー２００および第２バスバー３００に接続するための第１端子接続部５１４および第２端子接続部５２４と、これら外部接続端子５１１、５２１および端子接続部５１４、５２４を保持する端子ホルダ５３０と、端子ホルダ５３０に設けられ、端子ホルダ５３０をコンデンサ素子ユニットＵに対して位置決めするためのスナップ片５４２、５４３、５４４、差込溝部５４５および突起５４６と、を備える。
【００６９】
この構成によれば、第１外部接続端子５１１および第２外部接続端子５２１と第１端子接続部５１４および第２端子接続部５２４とが端子ホルダ５３０に保持され、端子ホルダ５３０がスナップ片５４２、５４３、５４４、差込溝部５４５および突起５４６によりコンデンサ素子ユニットＵに対して位置決めされる。そして、この状態で、第１外部接続端子５１１および第２外部接続端子５２１が第１端子接続部５１４および第２端子接続部５２４を介して第１バスバー２００および第２バスバー３００に接続される。これにより、第１バスバー２００および第２バスバー３００に接続された第１外部接続端子５１１および第２外部接続端子５２１を、フィルムコンデンサ１内において高い精度に位置決めすることができる。
【００７０】
なお、第１外部接続端子５１１および第２外部接続端子５２１が端子ホルダ５３０に保持されない構成では、第１外部接続端子５１１および第２外部接続端子５２１が第１端子接続部５１４および第２端子接続部５２４を介して第１バスバー２００および第２バスバー３００に接続されたときに、これら外部接続端子５１１、５２１の向きや姿勢が変わりやすく、これら外部接続端子５１１、５２１を高い精度で位置決めすることが難しい。
【００７１】
また、端子ホルダ５３０は、その一部がケース７００内に充填される充填樹脂８００中に埋没する。この構成によれば、充填樹脂８００を利用して、端子ホルダ５３０をケース７００内にしっかりと固定できる。
【００７２】
さらに、第１外部接続端子５１１および第２外部接続端子５２１と第１端子接続部５１４および第２端子接続部５２４とが、インサート成形によって端子ホルダ５３０に保持される。この構成によれば、第１外部接続端子５１１および第２外部接続端子５２１と第１端子接続部５１４および第２端子接続部５２４とが保持された端子ホルダ５３０を、容易かつ安価に製造できる。
【００７３】
さらに、フィルムコンデンサ１は、端子ホルダ５３０に取り外し可能に装着され、第１外部接続端子５１１および第２外部接続端子５２１を保護する保護カバー６００を備える。この構成によれば、保護カバー６００によって、障害物の衝突等から第１外部接続端子５１１および第２外部接続端子５２１を保護でき、第１外部接続端子５１１および第２外部接続端子５２１の変形、破損等を防止できる。また、保護が不要になったときに、端子ホルダ５３０から保護カバー６００を取り外すことができ、第１外部接続端子５１１および第２外部接続端子５２１への外部端子の接続の際などに、保護カバー６００が邪魔にならない。
【００７４】
さらに、保護カバー６００は、ケース７００の外側にはみ出した第１外部接続端子５１１および第２外部接続端子５２１の先端部が収まるカバー部６１０を含み、先端部が向く方向に移動されることにより、端子ホルダ５３０から取り外しが可能である。この構成によれば、たとえばカバー部６１０を掴み、保護カバー６００を第１外部接続端子５１１および第２外部接続端子５２１の先端部が向く方向、即ち、ケース７００から離れる方向に移動させるだけで、容易に端子ホルダ５３０から保護カバー６００を取り外すことができる。
【００７５】
さらに、端子ホルダ５３０には、第１外部接続端子５１１および第２外部接続端子５２１の左右両側に差込口部５３４が設けられ、保護カバー６００には、第１外部接続端子５１１および第２外部接続端子５２１の先端部が向く方向から、各差込口部５３４に差し込まれる差込部６２０が設けられる。この構成によれば、保護カバー６００の左右両側をしっかりと端子ホルダ５３０に装着できる。
【００７６】
さらに、保護カバー６００の差込部６２０および端子ホルダ５３０の差込口部５３４には、それぞれ、差込部６２０が差込口部５３４に差し込まれた状態において差込部６２０が抜かれる方向に係合する爪部６２３および載置リブ５３５が設けられる。この構成によれば、保護カバー６００が端子ホルダ５３０から不所望に抜けにくくなる。
【００７７】
さらに、差込口部５３４は、差込部６２０の差込方向に凹み差込部６２０の先端部が嵌め込まれる嵌合凹部５４０を含み、嵌合凹部５４０には、差込方向と直交する方向から差込部６２０の先端部の両側に接触する突条５３９ｂが設けられる。この構成によれば、保護カバー６００が差込方向と直交する方向にガタツキにくくなる。
【００７８】
以上、本発明の実施の形態について説明したが、本発明は、上記実施の形態に限定されるものではなく、また、本発明の適用例も、上記実施の形態の他に、種々の変更が可能である。
【００７９】
たとえば、上記実施の形態では、第１外部接続端子５１１および第２外部接続端子５２１は、途中部分が湾曲するピン状を有している。しかしながら、これら外部接続端子５１１、５２１は、ピン状を有していればよく、たとえば、一直線の形状であってもよい。また、第１外部接続端子５１１および第２外部接続端子５２１は、上記実施の形態のような電圧信号を出力するための信号出力端子でなく、他の用途のための接続端子であってもよい。
【００８０】
また、上記実施の形態では、第１端子接続部５１４は、第１接続部５１２と第１導線部５１３とで構成され、第２端子接続部５２４は、第２接続部５２２と第２導線部５２３とで構成される。しかしながら、第１端子接続部５１４は、第１外部接続端子５１１と第１バスバー２００とを接続できれば、上記以外の構成でもよい。同様に、第２端子接続部５２４は、第２外部接続端子５２１と第２バスバー３００とを接続できれば、上記以外の構成でもよい。
【００８１】
さらに、上記実施の形態では、端子ホルダ５３０をコンデンサ素子ユニットＵに対して上下、前後および左右方向に位置決めするための位置決め部として、端子ホルダ５３０にスナップ片５４２、５４３、５４４、差込溝部５４５および突起５４６が設けられた。しかしながら、端子ホルダ５３０をコンデンサ素子ユニットＵに対して上下、前後および左右方向に位置決めできれば、端子ホルダ５３０に、スナップ片５４２、５４３、５４４、差込溝部５４５および突起５４６のうち、少なくとも何れかが設けられなくてもよい。
【００８２】
さらに、上記実施の形態は、第１外部接続端子５１１および第２外部接続端子５２１と第１端子接続部５１４および第２端子接続部５２４とが、インサート成形によって端子ホルダ５３０に保持されるが、ネジ止めなど、インサート成形以外の方法によって、端子ホルダ５３０に保持されてもよい。
【００８３】
さらに、上記実施の形態では、保護カバー６００は、第１外部接続端子５１１および第２外部接続端子５２１の先端部が向く方向に移動されることにより、端子ホルダ５３０から取り外しが可能であるが、他の方向への移動により端子ホルダ５３０から取り外し可能であってもよい。
【００８４】
さらに、上記実施の形態では、保護カバー６００は、差込部６２０が差込口部５３４へ差し込まれることにより、端子ホルダ５３０に取り外し可能に装着される。しかしながら、保護カバー６００の端子ホルダ５３０への装着方法は、上記のものに限られず、たとえば、いわゆるスナップフィット構造などにより、保護カバー６００が端子ホルダ５３０に装着されてもよい。
【００８５】
さらに、上記実施の形態では、差込部６２０に設けられた爪部６２３と差込口部５３４に設けられた載置リブ５３５とが係合する構成とされた。しかしながら、差込部６２０および差込口部５３４の何れか一方に設けられた爪部と他方に設けられた孔部とが係合する構成とされてもよい。
【００８６】
さらに、上記実施の形態では、端子ホルダ５３０の差込口部５３４において、嵌合リブ５３９（嵌合凹部５４０）の左右の内壁面に上下方向に延びる突条５３９ｂが設けられ、これら突条５３９ｂが嵌合凹部５４０内に差し込まれた差込部６２０の先端部の左右両側に接触する。しかしながら、嵌合凹部５４０に、差込部６２０の先端部の左右両側に接触するような突部が設けられるのであれば、その突部は、必ずしも突条５３９ｂでなくてよい。ただし、突条５３９ｂであれば、差込部６２０の先端部の左右両側との接触部分が多くなり、保護カバー６００のガタツキ防止効果が高まるので、より望ましい。
【００８７】
さらに、上記実施の形態では、コンデンサ素子ユニットＵに４個のコンデンサ素子１００が含まれる。しかしながら、コンデンサ素子１００の個数は、１個である場合も含めて、適宜、変更することができる。
【００８８】
さらに、上記実施の形態では、コンデンサ素子１００は、誘電体フィルム上にアルミニウムを蒸着させた金属化フィルムにより形成されたが、これ以外にも、亜鉛、マグネシウム等の他の金属を蒸着させた金属化フィルムにより形成されてもよい。あるいは、コンデンサ素子１００は、これらの金属のうち、複数の金属を蒸着させた金属化フィルムにより形成されてもよいし、これらの金属どうしの合金を蒸着させた金属化フィルムにより形成されてもよい。また、上記実施の形態では、コンデンサ素子１００は、誘電体フィルム上にアルミニウムを蒸着させた２枚の金属化フィルムを重ね、重ねた金属化フィルムを巻回または積層することで形成されたものであるが、これ以外にも、誘電体フィルムの両面にアルミニウムを蒸着させた金属化フィルムと絶縁フィルムとを重ね、これを巻回または積層することにより、これらコンデンサ素子１００が形成されてもよい。
【００８９】
さらに、上記実施の形態では、本発明のコンデンサの一例として、フィルムコンデンサ１が挙げられた。しかしながら、本発明は、フィルムコンデンサ１以外のコンデンサに適用することもできる。
【００９０】
この他、本発明の実施の形態は、特許請求の範囲に示された技術的思想の範囲内において、適宜、種々の変更が可能である。
【００９１】
なお、上記実施の形態の説明において「上方」「下方」等の方向を示す用語は、構成部材の相対的な位置関係にのみ依存する相対的な方向を示すものであり、鉛直方向、水平方向等の絶対的な方向を示すものではない。
【産業上の利用可能性】
【００９２】
本発明は、各種電子機器、電気機器、産業機器、車両の電装等に使用されるコンデンサに有用である。
【符号の説明】
【００９３】
１  フィルムコンデンサ（コンデンサ）
１００  コンデンサ素子
１１０  第１端面電極（電極）
１２０  第２端面電極（電極）
２００  第１バスバー（バスバー）
３００  第２バスバー（バスバー）
５１１  第１外部接続端子（外部接続端子）
５１４  第１端子接続部（端子接続部）
５２１  第２外部接続端子（外部接続端子）
５２４  第２端子接続部（端子接続部）
５３０  端子ホルダ（端子保持部材）
５３４  差込口部
５３５  載置リブ（被係合部）
５３９ｂ  突条（突部）
５４０  嵌合凹部（凹部）
５４２、５４３、５４４  スナップ片（位置決め部）
５４５  差込溝部（位置決め部）
５４６  突起（位置決め部）
６００  保護カバー（保護部材）
６１０  カバー部
６２０  差込部
６２３  爪部（係合部）
７００  ケース
８００  充填樹脂
【図１】
2020009986.tif 000003
【図２】
2020009986.tif 000004
【図３】
2020009986.tif 000005
【図４】
2020009986.tif 000006
【図５】
2020009986.tif 000007
【図６】
2020009986.tif 000008
【図７】
2020009986.tif 000009
【図８】
2020009986.tif 000010
【図９】
2020009986.tif 000011